(57)【特許請求の範囲】
【請求項１】
電源スイッチを収納する凹部と、
上記電源スイッチの操作面よりも上記凹部の開口側に配置されて、上記凹部に金属部材が進入したことを検知するセンサと、
上記センサよりも上記電源スイッチの操作面側に配置されて、上記センサが金属部材を検知している間は閉じられるシャッタと、
を備え、
上記センサが金属部材を検知しているとき、上記シャッタは閉じて上記電源スイッチの操作面に金属部材が当接することを阻止することを特徴とする内視鏡光源装置。
【請求項２】
電源スイッチを収納する凹部と、
上記電源スイッチの操作面よりも上記凹部の開口側に配置されて、上記凹部に金属部材が進入したことを検知するセンサと、
上記凹部の開口を含む平面に垂直な方向の位置が上記センサと同位置であって、上記凹部の開口よりも上記電源スイッチの操作面側に配置され、上記センサが金属部材を検知している間は閉じられるシャッタと、
を備え、
上記センサが金属部材を検知しているとき、上記シャッタは閉じて上記電源スイッチの操作面に金属部材が当接することを阻止することを特徴とする内視鏡光源装置。
【請求項３】
請求項１または２記載の内視鏡光源装置において、上記センサは、検知コイル、この検知コイルに電気を供給する電流電源、及び検知コイルのインピーダンスの変化を検知する検知判断手段を有する内視鏡光源装置。
【請求項４】
請求項１または２記載の内視鏡光源装置において、上記センサは、磁石を有しており、上記凹部に金属部材が進入するとき、磁石の磁場が変化することを検知する内視鏡光源装置。
【請求項５】
請求項１または２記載の内視鏡光源装置において、上記センサは、一対の平板を有しており、上記凹部に金属部材が進入するとき、一対の平板の静電容量が変化することを検出する内視鏡光源装置。
【請求項６】
請求項１ないし５のいずれか１項記載の内視鏡光源装置において、上記シャッタは、開口部を有するシャッタ板と、このシャッタ板を回転自在に支持する回転支持部材と、を備えており、上記シャッタ板を回転させることで上記シャッタ板の開口部を所定位置に移動させて開閉動作を行う内視鏡光源装置。
【請求項７】
請求項１ないし５のいずれか１項記載の内視鏡光源装置において、上記シャッタは、複数のシャッタ板と、これらのシャッタ板を回動自在に支持するシャッタ板ハウジングとを備えており、複数のシャッタ板を回動させて重ねることで閉動作を行う内視鏡光源装置。
【発明の詳細な説明】
【技術分野】
【０００１】
本発明は、内視鏡光源装置に関する。
【背景技術】
【０００２】
内視鏡光源装置は、挿入部先端に照明光を与えるための光源、及び挿入部で観察される画像の画像信号を処理する回路などを有しており、挿入部等を備える内視鏡を着脱して用いられる。この内視鏡光源装置は、術者（医者）が内視鏡検査終了時に、内視鏡を内視鏡光源装置から抜いた後、内視鏡のライトガイド先端で電源スイッチがオフ操作されることがあった。このような操作は勧められる操作ではない。
【特許文献１】特開２００２−１７２０８７号公報
【発明の開示】
【発明が解決しようとする課題】
【０００３】
本発明は従って、ライトガイド先端によって電源のオフ操作が行われることがあるという現実を直視し、ライトガイド先端による電源スイッチのオンオフ操作を阻止して電源スイッチが損傷されることを防止することができる内視鏡光源装置を得ることを目的とする。
【課題を解決するための手段】
【０００４】
本発明の内視鏡光源装置は、電源スイッチを収納する凹部と、電源スイッチの操作面よりも凹部の開口側に配置されて、凹部に金属部材が進入したことを検知するセンサと、センサよりも電源スイッチの操作面側に配置されて、センサが金属部材を検知している間は閉じられるシャッタと、を備え、センサが金属部材を検知しているとき、シャッタは閉じて電源スイッチの操作面に金属部材が当接することを阻止することを特徴とする。
【０００５】
本発明の内視鏡光源装置は、また、電源スイッチを収納する凹部と、電源スイッチの操作面よりも凹部の開口側に配置されて、凹部に金属部材が進入したことを検知するセンサと、凹部の開口を含む平面に垂直な方向の位置がセンサと同位置であって、凹部の開口よりも電源スイッチの操作面側に配置され、センサが金属部材を検知している間は閉じられるシャッタと、を備え、センサが金属部材を検知しているとき、シャッタは閉じて電源スイッチの操作面に金属部材が当接することを阻止することを特徴とする。
【０００６】
センサは、検知コイル、この検知コイルに電気を供給する電流電源、及び検知コイルのインピーダンスの変化を検知する検知判断手段を有することが好ましい。
【０００７】
センサは、別の態様としては、磁石を有しており、凹部に金属部材が進入するとき、磁石の磁場が変化することを検知することが好ましい。
【０００８】
センサは、さらに別の態様としては、一対の平板を有しており、凹部に金属部材が進入するとき、一対の平板の静電容量が変化することを検出することが好ましい。
【０００９】
シャッタは、開口部を有するシャッタ板と、このシャッタ板を回転自在に支持する回転支持部材と、を備えており、シャッタ板を回転させることでシャッタ板の開口部を所定位置に移動させて開閉動作を行うことが好ましい。
【００１０】
シャッタは、別の態様としては、複数のシャッタ板と、これらのシャッタ板を回動自在に支持するシャッタ板ハウジングとを備えており、複数のシャッタ板を回動させて重ねることで閉動作を行うことが好ましい。
【発明の効果】
【００１１】
本発明は、ライトガイド先端等の金属部材による電源スイッチのオンオフ操作を阻止することができるため、電源スイッチの損傷を防止することができる。
【発明を実施するための最良の形態】
【００１２】
図１は、本発明の内視鏡光源装置１００の一実施形態を示す。この内視鏡光源装置１００には、図２に示す電子内視鏡２００を着脱させて使用することができる。
【００１３】
電子内視鏡２００は、観察者（術者）が把持する操作部１０と、操作部１０の側部に連結されているライトガイドケーブル１１と、ライトガイドケーブル１１の先端部に設けられたコネクタ部１２と、操作部１０から延出して観察対象（患者）の内部（体内）に挿入される挿入部１３とを有する。コネクタ部１２には、同一方向に平行に突出する金属材料からなるライトガイドコネクタ（ライトガイド先端部）１２ａと回路コネクタ１２ｂとが設けられている。ライトガイドコネクタ１２ａは、回路コネクタ１２ｂよりも外径が小さく細長い。挿入部１３の先端面には、図示しない照明用窓と観察用窓が備えられている。照明用窓と観察用窓の後方には、それぞれ、図示しない照明レンズ系と撮影手段とが備えられている。撮影手段はＣＣＤ等の撮像素子を備えている。
【００１４】
ライトガイドコネクタ１２ａには、その先端面に光学レンズが設けられ、この光学レンズに入射する光は、ライトガイド（不図示）を介して照明用窓に出射される。このライドガイドは、ライトガイドコネクタ１２ａ、コネクタ部１２、ライトガイドケーブル１１、操作部１０、及び挿入部１３の内部に挿通されている。
【００１５】
一方、回路コネクタ１２ｂは、ライトガイドとは別に設ける、一連の信号伝達ケーブル（不図示）を介して撮影手段に接続されている。信号伝達ケーブルは、回路コネクタ１２ｂ、コネクタ部１２、ライトガイドケーブル１１、操作部１０、及び挿入部１３の内部に挿通されている。
【００１６】
内視鏡光源装置１００は、その側面２２に、ライトガイドコネクタ１２ａを受け入れるアウトプットコネクタ２１と、回路コネクタ１２ｂを受け入れると回路用受け部（不図示）が設けられている。また、側面２２には、アウトプットコネクタ２１と回路用受け部の近傍に、樹脂材料からなり円柱形状の押しボタン式の電源スイッチ２０が設けられている。
【００１７】
内視鏡光源装置１００の内側には、光源ランプ３０、ランプ電源３１、及びプロセス回路（不図示）が備えられており、操作者によって押しボタン式電源スイッチ２０がオン操作されると、ランプ電源３１から光源ランプ３０及びプロセス回路に電流が供給され、オフ操作によって電流の供給が絶たれる。
【００１８】
光源ランプ３０は、例えば、内部にキセノンガスを充填しているアークランプであり、ランプ電源３１から電流の供給を受けると、光源ランプ３０の陰極と陽極間でアーク放電する。このアーク放電によって発生される光は、集光されてアウトプットコネクタ２１内を通る光として光源ランプ３０から出射される。したがって、ライトガイドコネクタ１２ａをアウトプットコネクタ２１に装着すると、光源ランプ３０から出射される光は、ライトガイドコネクタ１２ａ及びライトガイドを介して照明用窓から照明光として出射される。
【００１９】
プロセス回路は、信号伝達ケーブルを介して送られる電気信号を処理する。すなわち、光源ランプ３０の出射光によって照明された観察部位の光学像は、撮影手段のＣＣＤに結像されて電気信号として処理される。この電気信号は、信号伝達ケーブルを介してプロセス回路に送られる。プロセス回路は、電気信号を画像として処理し、モニタ（図示しない）上に映し出す。したがって、術者（操作者）は観察部位を画像として確認することができる。
【００２０】
続いて、本発明の内視鏡光源装置１００の特徴部分について説明する。
図３に示すように、内視鏡光源装置１００の側面２２には、押しボタン式電源スイッチ２０を収納する有底の円筒形状である凹部２８が形成されている。凹部２８は、側面２２側から順に、挿入案内筒２４、シャッタ部４０、及びスイッチ収納部２３を有している。凹部２８は、金属以外の材料、例えば樹脂やセラミックで構成することができる。
【００２１】
スイッチ収納部２３（凹部２８）に収納される押しボタン式電源スイッチ２０は、電源スイッチ本体２０ｃと付勢ばね２０ｄとを有しており、この付勢ばね２０ｄは、押しボタン式電源スイッチ２０の軸方向であって凹部２８の開口側に電源スイッチ本体２０ｃを付勢する。この付勢力に抗して電源スイッチ本体２０ｃを押すと、内視鏡光源装置１００の電源はオンオフされる。電源スイッチ本体２０ｃは、パイロットランプ２０ｂとこのパイロットランプ２０ｂを保護する透明な保護板２０ａとを有している。パイロットランプ２０ｂは、ＬＥＤであり、内視鏡光源装置１００の電源がオン状態のときに点灯する。押しボタン式電源スイッチ２０は、保護板２０ａをスイッチ収納部２３の開口側に向けており、保護板２０ａは、内視鏡光源装置１００のオンオフ操作時に操作者によって押される操作面である。オンオフ操作時に、押しボタン式電源スイッチ２０はスイッチ収納部２３に案内される。
【００２２】
挿入案内筒２４は、側面２２に連なりスイッチ収納部２３と同一内径である。挿入案内筒２４の外方には、センサ２５の検知コイル２５ａが備えられている。本発明のセンサは、金属部材を検知する公知のものを用いることができる。
センサ２５は、検知コイル２５ａと、この検知コイル２５ａに接続される検知判断手段２５ｂ及び電流電源２５ｃとを有している（図４参照）。検知コイル２５ａには電流電源２５ｃから電気が供給され、センサ２５のオンオフ操作は内視鏡光源装置１００のオンオフ操作とは独立している。検知コイル２５ａに通電すると、検知コイル２５ａには磁界が発生する（図３のＡ方向）。したがって、この磁界（検知コイル２５ａ）にライトガイドコネクタ１２ａ等の金属部材を近づけると、電磁誘導によって金属部材に誘導電流が発生する。この誘導電流が検知コイル２５ａのインピーダンス（交流抵抗）を変化させると、検知判断手段２５ｂは挿入案内筒２４に金属部材が挿入された（進入した）ことを検知する。このように、センサ２５は金属部材を検知することができる。なお、検知コイル２５ａの磁界は、センサ２５が金属部材を検知可能な検知領域に等しく、この検知領域は検知コイル２５ａに通電する電流量に比例するため、電流量によって検知領域を広くまたは狭くすることができる。すなわち、電流量によって検知感度を調整することができる。
【００２３】
スイッチ収納部２３と挿入案内筒２４の間には、シャッタ部（シャッタ）４０が配置されている。シャッタ部４０は、スイッチ収納部２３側から順に、シャッタ板ハウジング４１、シャッタ板４２、及びシャッタカバー４３を有している。シャッタ板ハウジング４１、シャッタ板４２、及びシャッタカバー４３には、スイッチ収納部２３及び挿入案内筒２４の内径と同一径の開口（開口部）４１ａ、４２ａ、４３ａが形成されている。シャッタ板４２は、シャッタ板ハウジング４１内に収納されており、軸（回転支持部材）４２ｂを介してシャッタ板ハウジング４１に回転自在に支持されている。したがって、シャッタ部４０は、シャッタ板４２を、その軸４２ｂを中心に１８０°回転させることによって開状態（図５）と閉状態（図６）を選択することができる。なお、シャッタ部４０は、低コストを実現するためには樹脂材料からなることが好ましいが、それ以外の材料で構成することもできる。また、本発明のシャッタは、公知の開閉機構を備えるものを用いることができる。
【００２４】
図４に示すように、センサ２５の検知判断手段２５ｂには、制御手段２６が接続されている。この制御手段２６には、シャッタ駆動部２７が接続されている。シャッタ駆動部２７は、シャッタ部４０に接続しており、制御手段２６の指示を受けると、シャッタ部４０のシャッタ板４２を回転させる。すなわち、ライトガイドコネクタ１２ａ等の金属部材がセンサ２５の検知領域に進入すると、センサ２５は制御手段２６に信号を送り、信号を受けた制御手段２６がシャッタ駆動部２７を駆動させると、シャッタ部４０が開閉する。
【００２５】
次に、本発明の内視鏡光源装置１００と電子内視鏡２００の動作について説明する。
施術の前に、術者は、ライトガイドコネクタ１２ａをアウトプットコネクタ２１に装着させ、回路コネクタ１２ｂを回路用受け部に装着させることによって、コネクタ部１２（電子内視鏡２００）を内視鏡光源装置１００に接続する。
その後、術者は押しボタン式電源スイッチ２０（保護板２０ａ）を押して内視鏡光源装置１００をオン状態にする。術者の指などの金属部材以外で押しボタン式電源スイッチ２０を押す場合には、シャッタ部４０（シャッタ板４２）は閉まることなくオン操作ができる。
【００２６】
内視鏡光源装置１００がオン状態になると、ランプ電源３１とプロセス回路には電気が供給される。ランプ電源３１に電気が供給されると、光源ランプ３０は、その陰極と陽極の間でアークを放電させる。このアーク放電で発生する光は、アウトプットコネクタ２１に出射されてライトガイドを介して照明光として照明用窓から供給される。また、モニタの電源をオン状態にすると、ＣＣＤに結像された画像がモニタに映し出される。
【００２７】
術者は、照明用窓から照明光が供給されていること、及びモニタに画像が映し出されていることを確認した後、電子内視鏡２００の挿入部１３を患者の体内に挿入し、モニタで確認しながら病変部に到達させる。挿入部１３の先端部が病変部に到達したことを確認したとき、術者は観察等の必要な処置を行う。処置後、挿入部１３を患者の体内から取り出して施術を終了する。その後、コネクタ部１２を内視鏡光源装置１００から取り外して内視鏡光源装置１００のオフ操作をする（押しボタン式電源スイッチ２０を押す）。すると、ランプ電源３１への電気の供給が絶たれて光源ランプ３０は消灯する。
【００２８】
この内視鏡光源装置１００のオフ操作は、通常、術者の指などで行われる。しかし、術者によっては、コネクタ部１２の取り外し操作に続けて、コネクタ部１２のライトガイドコネクタ１２ａで押しボタン式電源スイッチ２０を押す場合もある。このような操作は、押しボタン式電源スイッチ２０の損傷を招くおそれがあるため好ましくない。したがって、本発明の内視鏡光源装置１００には、金属部材が凹部２８に進入したことを検知するセンサ２５とこのセンサ２５が金属部材を検知している間は閉じられて金属部材が押しボタン式電源スイッチ２０の操作面に接することを阻止するシャッタ部４０とを設けている。
【００２９】
施術後、内視鏡光源装置１００からのコネクタ部１２の取り外し操作に続けて、ライトガイドコネクタ１２ａを挿入案内筒２４（凹部２８）に挿入すると、シャッタ部４０は、以下のような閉動作を行う。
まず、ライトガイドコネクタ１２ａが近接することによって、検知コイル２５ａは、そのインピーダンスが変化する。検知判断手段２５ｂは、この変化によって凹部２８に金属材料が進入したと判断し、制御手段２６に信号を送る。この信号を受けた制御手段２６は、シャッタ駆動部２７を駆動させる。シャッタ駆動部２７は、軸４２ｂを中心にしてシャッタ板４２を１８０°回転させる。以上の動作によって、シャッタ部４０（シャッタ板４２）は閉じて、スイッチ収納部２３内にライトガイドコネクタ１２ａが進入することを阻止する。なお、センサ２５がライトガイドコネクタ１２ａを検知している間（ライトガイドコネクタ１２ａが挿入案内筒２４にある間）、シャッタ部４０はシャッタ板４２を閉じた状態（図６）を保持する。
【００３０】
したがって、術者は、ライトガイドコネクタ１２ａで押しボタン式電源スイッチ２０を押すことはできず、ライトガイドコネクタ１２ａが押しボタン式電源スイッチ２０を傷つけたり破損させたりすることを防止することができる。なお、ライトガイドコネクタ１２ａに限らず、ピンセット等の金属材料による操作であれば、上記閉動作によって押しボタン式電源スイッチ２０の破損等を防止することができる。
【００３１】
また、内視鏡光源装置１００をオン状態にするときも、術者がライトガイドコネクタ１２ａで押しボタン式電源スイッチ２０を押す場合もあるが、オン操作時には、ライトガイドコネクタ１２ａはすでにアウトプットコネクタ２１に装着されていることが多く、術者がライトガイドコネクタ１２ａを用いて内視鏡光源装置１００のオン操作をする（押しボタン式電源スイッチ２０を押す）ことはオフ操作に比べて少ない。
仮に、オン操作時にライトガイドコネクタ１２ａで押しボタン式電源スイッチ２０を押そうとする場合であっても、上記オフ操作時と同様の動作によってシャッタ部４０が閉まるため、ライトガイドコネクタ１２ａが押しボタン式電源スイッチ２０に接することはできない。
【００３２】
なお、押しボタン式電源スイッチ２０は、柱状などであっても良く、パイロットランプ２０ｂ及び保護板２０ａを備えていない簡単な円柱状であってもよい。また、電源スイッチは、押しボタン式に代えて、オンオフ操作によって一端部が交互に倒れ込むシーソー式とすることもできる。
【００３３】
図７に示すように、シャッタ部（シャッタ）１４０は、３枚のシャッタ板１４２と、各シャッタ板１４２を回動自在に支持して開口（開口部）１４１ｂを有するシャッタ板ハウジング１４１と、を備えている。各シャッタ板１４２は、シャッタ部１４０の開状態では、シャッタ板ハウジング１４１の開口１４１ｂを塞ぐことなく退避している。シャッタ部１４０の閉動作は、各シャッタ板１４２がシャッタ板ハウジング１４１に形成する軸１４１ａを中心に回動してシャッタ板ハウジング１４１の開口１４１ｂの前方（側面２２側）で互いに重なり、開口１４１ｂを塞ぐことによって行われる（図８）。
【００３４】
また、センサは磁石を有しており、凹部に金属部材が進入するとき、磁石の磁場が変化することを検知するタイプとすることもできる。さらに、センサは一対の平板を有しており、凹部に金属部材が進入するとき、一対の平板の静電容量が変化することを検出するタイプとすることもできる。
【００３５】
センサとシャッタの位置関係は、凹部の開口側から順に、シャッタ、及びセンサとすることもできる。また、シャッタは、凹部の開口を含む平面に垂直な方向の位置がセンサと同位置にあって、凹部の開口よりも電源スイッチの操作面側に配置されることもできる。すなわち、シャッタ部４０は、その外囲に検知コイル２５ａを配置することもできる。
【図面の簡単な説明】
【００３６】
【図１】本発明に係る内視鏡光源装置の上面図である。
【図２】本発明に係る内視鏡光源装置に着脱させる電子内視鏡を示す図である。
【図３】本発明に係る内視鏡光源装置の電源スイッチ、シャッタ、及びセンサの断面図である。
【図４】本発明に係る内視鏡光源装置のセンサ及びシャッタの系統接続を示すブロック図である。
【図５】本発明に係る内視鏡光源装置のシャッタが開いた状態を示す正面図である。
【図６】本発明に係る内視鏡光源装置のシャッタが閉じた状態を示す正面図である。
【図７】本発明に係る内視鏡光源装置の別のシャッタが開いた状態を示す正面図である。
【図８】本発明に係る内視鏡光源装置の別のシャッタが閉じた状態を示す正面図である。
【符号の説明】
【００３７】
１０  操作部
１１  ライトガイドケーブル
１２  コネクタ部
１２ａ  ライトガイドコネクタ
１２ｂ  回路コネクタ
１３  挿入部
２０  押しボタン式電源スイッチ
２０ａ  保護板（操作面）
２０ｂ  パイロットランプ
２１  アウトプットコネクタ
２２  側面
２３  スイッチ収納部
２４  挿入案内筒
２５  センサ
２５ａ  検知コイル
２５ｂ  検知判断手段
２５ｃ  電流電源
２６  制御手段
２７  シャッタ駆動部
２８  凹部
３０  光源ランプ
３１  ランプ電源
４０  シャッタ部
４１  シャッタ板ハウジング
４１ａ  開口
４２  シャッタ板
４２ａ  開口
４２ｂ  軸
４３  シャッタカバー
４３ａ  開口
１００  内視鏡光源装置
２００  電子内視鏡
【図１】
0004787057.tif 000002
【図２】
0004787057.tif 000003
【図３】
0004787057.tif 000004
【図４】
0004787057.tif 000005
【図５】
0004787057.tif 000006
【図６】
0004787057.tif 000007
【図７】
0004787057.tif 000008
【図８】
0004787057.tif 000009